(57)【要約】【課題】通常の歩きながら行う清掃作業の使い勝手を低下させることなく、家具等の下の床面の清掃作業の使い勝手を向上させた携帯用掃除機を提供する。【解決手段】ハウジング１１と、ハウジング１１の内部に設置される電動送風機２０と、ハウジング１１の内部において電動送風機２０の前方に形成される集塵室１３と、記集塵室１３の前方であってハウジング１１の前端に設けられる吸込み口３１と、集塵室１４の後方に設けられるグリップ部１２とを備える掃除機本体１０と、吸込み口３１に装着され前方に延びる延長管４０と、延長管４０の前端に装着される床用ノズル６０とを備える携帯用掃除機１において、掃除機本体１０と床用ノズル６０とを清掃面Ｆに接地させた清掃作業状態で、ハウジング１１の外面のうち少なくとも集塵室１３を形成する領域であって清掃面Ｆに対向する面が、側面視で清掃面Ｆに沿うように構成されていることを特徴とする。【選択図】  図５
2016083310.tif 000002
【特許請求の範囲】
【請求項１】
ハウジングと、前記ハウジングの内部に設置される電動送風機と、前記ハウジングの内部において前記電動送風機の前方に形成される集塵室と、前記集塵室の前方であって前記ハウジングの前端に設けられる吸込み口と、前記集塵室の後方に設けられるグリップ部と、を備える掃除機本体と、
前記吸込み口に装着され前方に延びる延長管と、
前記延長管の前端に装着される床用ノズルと、を備える携帯用掃除機において、
前記掃除機本体と前記床用ノズルとを清掃面に接地させた清掃作業状態で、前記ハウジングの外面のうち少なくとも前記集塵室を形成する領域であって前記清掃面に対向する面が、側面視で前記清掃面に沿うように構成されていることを特徴とする携帯用掃除機。  
【請求項２】
前記電動送風機は、軸線を前後方向として設置されており、
前記吸込み口の軸線は、前記電動送風機の軸線と平行であり、且つ前記電動送風機の軸線に対して下方にオフセットしていることを特徴とする請求項１に記載の携帯用掃除機。
【請求項３】
前記電動送風機は、軸線を前後方向として設置されており、
前記吸込み口の軸線は、前記電動送風機の軸線に対してその前方が上方に交差することを特徴とする請求項１に記載の携帯用掃除機。
【発明の詳細な説明】
【技術分野】
【０００１】
本発明は、掃除機本体に延長管及び床用ノズルを装着して使用する携帯用掃除機に関する。
【背景技術】
【０００２】
従来から、グリップ部を有する掃除機本体の前端に設けられた吸込み口に、所定の長さを有する延長管を装着し、さらに、延長管の先端に床面ノズルを装着して使用することができる携帯用掃除機が知られている（例えば、下記特許文献１参照）。このような携帯用掃除機を使用して床面の清掃を行う場合は、使用者は、図８に示すように、床用ノズルが床面に沿うように延長管の前側を下方に傾けて歩きながら清掃作業を行うことになる。
【０００３】
また、上述の携帯用掃除機を使用して、脚を備える家具等の下の床面を清掃するときは、使用者は、掃除機本体を床面に接近させて、家具等と床面との間の隙間へ床用ノズル及び延長管を進入させて清掃を行うことになる。
【先行技術文献】
【特許文献】
【０００４】
【特許文献１】実開昭６２−１０９０４８号公報
【発明の概要】
【発明が解決しようとする課題】
【０００５】
ところが、比較的奥行きの大きい家具等の下の床面を清掃する場合、家具と床面との隙間が狭いと、携帯用掃除機の掃除機本体が家具等に干渉してしまい、床用ノズルが最奥部まで届かない場合があった。延長管を長くすれば、床用ノズルが最奥部まで届くことにはなるが、この場合、通常の歩きながら行う清掃作業においては使い勝手が低下してしまうことになる。
【０００６】
本発明は、上述した課題の存在に鑑みてなされたものであって、その目的は、通常の歩きながら行う清掃作業の使い勝手を低下させることなく、家具等の下の床面の清掃作業の使い勝手を向上させた携帯用掃除機を提供することである。
【課題を解決するための手段】
【０００７】
本発明に係る携帯用掃除機は、ハウジングと、前記ハウジングの内部に設置される電動送風機と、前記ハウジングの内部において前記電動送風機の前方に形成される集塵室と、前記集塵室の前方であって前記ハウジングの前端に設けられる吸込み口と、前記集塵室の後方に設けられるグリップ部と、を備える掃除機本体と、前記吸込み口に装着され前方に延びる延長管と、前記延長管の前端に装着される床用ノズルと、を備える携帯用掃除機であって、前記掃除機本体と前記床用ノズルとを清掃面に接地させた清掃作業状態で、前記ハウジングの外面のうち少なくとも前記集塵室を形成する領域であって前記清掃面に対向する面が、側面視で前記清掃面に沿うように構成されていることを特徴とする。
【０００８】
また、本発明に係る携帯用掃除機においては、前記電動送風機は、軸線を前後方向として設置されており、前記吸込み口の軸線は、前記電動送風機の軸線と平行であり、且つ前記電動送風機の軸線に対して下方にオフセットして構成することができる。
【０００９】
さらに、本発明に係る携帯用掃除機においては、前記電動送風機は、軸線を前後方向として設置されており、前記吸込み口の軸線は、前記電動送風機の軸線に対してその前方が上方に交差するように構成することができる。
【発明の効果】
【００１０】
本発明によれば、通常の歩きながら行う清掃作業の使い勝手を低下させることなく、家具等の下の床面の清掃作業の使い勝手を向上させた携帯用掃除機を提供することができる。
【図面の簡単な説明】
【００１１】
【図１】本発明の実施形態に係る携帯用掃除機の全体側面図である。
【図２】本発明の実施形態に係る携帯用掃除機の全体平面図である。
【図３】本発明の実施形態に係る携帯用掃除機の縦断面図である。
【図４】図３の要部拡大図である。
【図５】本発明の実施形態に係る携帯用掃除機を使用しての家具の下の床面の清掃作業を説明する側面図である。
【図６】本発明の別の実施形態に係る携帯用掃除機を使用しての家具の下の床面の清掃作業を説明する側面図である。
【図７】図６の要部拡大図である。
【図８】携帯用掃除機を使用しての通常の床面の清掃作業形態を示す図である。
【発明を実施するための形態】
【００１２】
以下、本発明を実施するための好適な実施形態について図を用いて説明する。なお、以下の実施形態は、各請求項に係る発明を限定するものではなく、また、実施形態の中で説明されている特徴の組み合わせの全てが発明の解決手段に必須であるとは限らない。
【００１３】
まず、図１〜図４を参照して本発明の実施形態に係る携帯用掃除機の構造について説明する。
【００１４】
ここで、図１は本発明の実施形態に係る携帯用掃除機の全体側面図であり、図２は本発明の実施形態に係る携帯用掃除機の全体平面図である。図３は本発明の実施形態に係る携帯用掃除機の縦断面図であり、図４は図３の要部拡大図である。
【００１５】
本発明の実施形態に係る携帯用掃除機１の掃除機本体１０は、掃除機本体１０の外郭をなすハウジング１１と、ハウジング１１の前後方向中央の内部に軸線を前後方向として設置される電動送風機２０と、電動送風機２０の前方であって、ハウジング前部１１ａの内部に形成される集塵室１３と、集塵室１３の前方であってハウジング１１の前端に設けられる略円筒形状の吸込み口３１と、集塵室１３の後方であってハウジング後部１１ｂの上部にハウジング１１と一体的に形成されるグリップ部１２とを備えて構成されている。電動送風機２０は、モータ２１と、モータ２１の前方に配置されるモータ２１より大径のファン２２とを備えている。なお、ファン２２の外径サイズは、携帯用掃除機１の吸引力性能により決定されるものであり、通常は、ハウジング１１の内部に収納される部材の中で最も大径となることから、ファン２２の外径サイズがハウジング１１の前後方向軸線に直交する断面の大きさを決定するときの基準となる。
【００１６】
集塵室１３は、紙パックが設置されように構成されており、集塵室１３の上方のハウジング前部１１ａの外面は、紙パックを交換するための開閉式の蓋１４として構成されている。また、集塵室１３は、集積された塵埃の廃棄作業の頻度を低減させるために、所定以上の容積を備えている。吸込み口３１は、ハウジング前部１１ａから前方へ突出して設けられており、その先端は斜め形状に形成されている。また、吸込み口３１は、その軸線を電動送風機２０の軸線に対して下方にオフセットして平行に配置されている。なお、上述のように、本実施形態の携帯用掃除機１は紙パックを使用するタイプのものとしたが、紙パックを使用せず、直接集塵室に塵埃を集積するタイプの携帯用掃除機とすることもできる。この場合、集塵室１３に集積された塵埃を廃棄するときにハウジング前部１１ａを掃除機本体１０から分離するように構成することで、蓋１４が不要な構成とすることもできる。
【００１７】
グリップ部１２の前側上面には、電動送風機２０の運転操作を行うためのスイッチ２３が配置されている。ハウジング後部１１ｂの下部には電動送風機２０の駆動電源としてのバッテリ２４が収容されている。また、ハウジング後部１１ｂの下面の一部は、上方へ凹んで形成されており、ここに、吊り下げ保管する場合に使用する回動式フック１５が出退可能に配置されている。
【００１８】
掃除機本体１０の吸込み口３１には、延長管４０が前方に突出して装着されている。具体的には、延長管４０の基端部４１を吸込み口３１に挿嵌することで装着されている。延長管４０は、直管状の部材であり、その長さは通常の歩きながら行う清掃作業に好適な長さに設定されている。
【００１９】
延長管４０の先端部４２には床用ノズル６０が装着されている。床用ノズル６０は、先端部４２に後端部が挿嵌される略く字状の接続管６１と、接続管６１の前端部に連結される吸引部６２とを備えており、図２に示すように、平面視でＴ字状を呈して構成されている。接続管６１と吸引部６２との連結部６３は球面継手として構成されており、接続管６１に対する吸引部６２の角度を所定の範囲で任意に回動させることができる。なお、連結部６３の球面継手は、従来公知のものであるが、本実施形態においては、掃除機本体１０と床用ノズル６０とを清掃する床面に接地させた状態で（図５参照）、吸引部６２が床面に沿って吸引清掃が可能となるように、その回動角度範囲を従来の携帯用掃除機に比して大きく設定している。
【００２０】
以上、本発明の実施形態に係る携帯用掃除機１の構造について説明した。次に、本発明の実施形態に係る携帯用掃除機１を使用して家具の下の床面を清掃する作業について、図５を参照図に加えて説明する。ここで、図５は本発明の実施形態に係る携帯用掃除機を使用しての家具の下の床面の清掃作業を説明する側面図である。
【００２１】
本発明の実施形態に係る携帯用掃除機１を使用して家具Ａの下の床面Ｆを清掃する場合、使用者は、掃除機本体１０を清掃面である床面Ｆに接近させて、床用ノズル６０及び延長管４０を家具Ａの下の隙間に進入させることになる。奥行きが６５０ｍｍを越えるような比較的奥行きが大きい家具の場合、最奥部に床用ノズルを到達させようとすると、掃除機本体の少なくとも一部（前部）も家具の下に進入させることが必要となる。このとき、家具の下への進入に最も適した状態は、床用ノズルと掃除機本体を床面に接地させた状態となる。この床用ノズルと掃除機本体とを床面に接地させた状態で掃除機本体の前部の床面からの高さが大きいと、家具と床面との隙間が比較的小さい場合、家具と掃除機本体の前部が干渉してしまい掃除機本体の前部を家具の下へ進入させることができない。本実施形態の携帯用掃除機１においては、床用ノズル６０と掃除機本体１０を床面Ｆに接地させた状態で、掃除機本体１０の前部の下面となる集塵室１３を形成するハウジング前部１１ａの床面Ｆと対向する外面が、床面Ｆに沿った状態となるように構成されている。したがって、掃除機本体１０の前部の上面となる集塵室１３を形成するハウジング前部１１ａの外面の床面Ｆからの高さを極力低くすることができるので、隙間が比較的小さい場合であっても、掃除機本体１０の前部を家具Ａの下へ進入させることができ、使い勝手を向上することができる。さらに、吸込み口３１は、その軸線を電動送風機２０の軸線に対して下方にオフセットして配置されているので、ハウジング１１の前端部の床面Ｆからの高さを低く構成することが可能となり、掃除機本体１０の前部を家具Ａの下の隙間へ進入させることが容易となる。なお、本実施形態の携帯用掃除機１においては、家具と床面との隙間が１００ｍｍであれば、奥行きが７５０ｍｍ程度までの家具の下の床面を清掃できるように構成されている。  
【００２２】
次に、本発明の別の実施形態に係る携帯用掃除機１００を使用して家具の下の床面を清掃する作業について、図６及び図７を参照図に加えて説明する。ここで、図６は本発明の別の実施形態に係る携帯用掃除機を使用しての家具の下の床面の清掃作業を説明する側面図であり、図７は図６の要部拡大図である。
【００２３】
なお、上述の本発明の実施形態に係る携帯用掃除機１と本発明の別の実施形態に係る携帯用掃除機１００の主要な相違点は、上述の本発明の実施形態に係る携帯用掃除機１では、吸込み口３１の軸線が電動送風機２０の軸線に対して下方にオフセットして平行に配置されていたのに対して、本発明の別の実施形態に係る携帯用掃除機１００は、それらの軸線が交差して配置されている点である。したがって、以下の説明では上述の実施形態と同一又は同様な構成については同じ符号を付し説明を省略する場合がある。
【００２４】
本発明の別の実施形態に係る携帯用掃除機１００は、図６及び図７に示すように、上述の実施形態の携帯用掃除機１の場合と同様に、床用ノズル６０と掃除機本体１１０を床面Ｆに接地させた状態で、掃除機本体１１０の前部の下面となる集塵室１３を形成するハウジング前部１１１ａの外面が床面Ｆに沿った状態となるように構成されている。したがって、掃除機本体１０の前部の上面となる集塵室１３を形成するハウジング前部１１１ａの外面の床面Ｆからの高さを極力低くすることができるので、比較的隙間が小さい場合であっても、掃除機本体１１０の前部を家具Ａの下へ進入させることができ、使い勝手を向上することができる。
【００２５】
また、本発明の別の実施形態に係る携帯用掃除機１００は、吸込み口３１がハウジング前部１１１ａから前方へ突出して設けられており、その先端は斜め形状に形成されている。吸込み口３１は、軸線が電動送風機２０の軸線に対してその前方が上方に交差するように配置されている。言い換えれば、本発明の別の実施形態に係る携帯用掃除機１００は、上述の実施形態の携帯用掃除機１において、掃除機本体１０のハウジング後部１１ｂをハウジング前部１１ａに対して上方へ傾斜させた構成となる。すなわち、床用ノズル６０と掃除機本体１１０を床面Ｆに接地させた状態での吸込み口３１の軸線の位置は、上述の実施形態の携帯用掃除機１の場合と同じ位置であって、吸込み口３１の軸線に対して電動送風機２０の軸線が後方を上方として傾斜するように掃除機本体１１０の後部を上方へ傾斜させた構成である。なお、本実施形態においては、吸込み口３１の軸線と電動送風機２０の軸線との交差角αは３度に設定されている。
【００２６】
したがって、本発明の別の本実施形態に係る携帯用掃除機１００においは、床用ノズル６０と掃除機本体１１０を床面Ｆに接地させた状態で、掃除機本体１１０の前部の下面となる集塵室１３を形成するハウジング前部１１１ａの床面Ｆと対向する外面が、床面Ｆに沿った状態で、掃除機本体１１０の後部であるハウジング後部１１１ｂを上方へ位置させることができる。したがって、ハウジング後部１１１ｂに設けられたグリップ部１２の位置がより上方となるので、使用者の作業姿勢の前屈度合いが低減でき、使用者の疲労を低減することもできる。
【００２７】
なお、本実施形態においては、ハウジング後部１１１ｂの下面と床面Ｆとの間に比較的大きな隙間Ｓが形成される構造としているが、隙間Ｓを形成せず、ハウジング後部１１１ｂの下面を床面に沿う位置まで延設することで、より大きなバッテリを収容できるように構成することもできる。この場合、バッテリ容量の増大により稼動時間をより長くすることが可能となる。
【００２８】
以上、本発明の好適な実施形態について説明したが、本発明の技術的範囲は上記実施形態に記載の範囲に限定さない。上記実施形態には、多様な変更又は改良を加えることが可能である。
【００２９】
たとえば、上記実施形態に係る携帯用掃除機１，１００おいては、駆動電源はハウジング１１，１１１に収容されたバッテリ２４としていたが、この構成に限定されない。たとえば、電源コードを介して給電される商用電源を駆動電源としてもよい。また、たとえば、バッテリをカートリッジ式としてもよい。
【符号の説明】
【００３０】
１  携帯用掃除機、１０  掃除機本体、１１  ハウジング、１１ａ  ハウジング前部、１１ｂ  ハウジング後部、１２  グリップ部、１３  集塵室、１４  蓋、１５  回動式フック、２０  電動送風機、２１  モータ、２２  ファン、２３  スイッチ、２４  バッテリ、３１  吸込み口、４０  延長管、４１  基端部、４２  先端部、６０  床用ノズル、６１  接続管、６２  吸引部、６３  連結部、１００  携帯用掃除機、１１０  掃除機本体、１１１  ハウジング、１１１ａ  ハウジング前部、１１１ｂ  ハウジング後部
【図１】
2016083310.tif 000003
【図２】
2016083310.tif 000004
【図３】
2016083310.tif 000005
【図４】
2016083310.tif 000006
【図５】
2016083310.tif 000007
【図６】
2016083310.tif 000008
【図７】
2016083310.tif 000009
【図８】
2016083310.tif 000010